(57)【特許請求の範囲】
【請求項１】
一方面側に折り曲げられた折り曲げ片を側端部に有する台紙と、
天面から側面にまで亘って形成された凹部を有する容器と、
前記台紙及び容器に巻回される巻回シートと、
を備え、
前記容器は、底面が前記台紙の一方面に対向するよう前記台紙上に配置され、前記折り曲げ片が、前記凹部の少なくとも一部を容器の側方から塞ぐとともに、前記容器の天面と側面との境界に接触するように配置され、且つ前記巻回シートが、前記折り曲げ片の少なくとも一部を覆うように巻回される、包装体。
【請求項２】
前記容器は、前記台紙側に位置する基台部と、前記基台部上に肩部を介して設けられる収納部とを有し、
前記凹部は、前記収容部の天面から側面にまで亘って形成され、
前記折り曲げ片は、前記収納部の天面と側面との境界と、前記肩部とに接触する、請求項１に記載の包装体。
【発明の詳細な説明】
【技術分野】
【０００１】
本発明は、包装体に関するものである。
【背景技術】
【０００２】
従来、店舗等で販売される商品の包装体としては、商品を樹脂製の容器内に収納し、この容器を台紙に糊等で接着して台紙及び容器を一体化したものが広く用いられている。しかし、このような包装体は、台紙から容器を剥離させた際に容器側に糊や紙が残ってしまい、近年、環境問題が深刻化する中、ゴミは分別収集されているが、容器に糊や紙が残ると、分別収集が困難であるという問題があった。このため、台紙及び商品に帯状の巻回シートを巻きつけてシュリンク加工を施すことにより、糊等を用いずに台紙と商品とを固定する包装体が検討されている（例えば、特許文献１の図５参照）。
【先行技術文献】
【特許文献】
【０００３】
【特許文献１】実開平７−４０５３０号公報
【発明の概要】
【発明が解決しようとする課題】
【０００４】
しかしながら、上述したような包装体は、商品が容器に収納されている場合、容器において、天面から側面にまで亘って形成された凹部を有する場合、巻回シートがこの凹部に沈み込むことにより巻回シートにシワが生じてしまうため、外観上好ましくないという問題があった。また、容器の天面に商品説明などの表示をしようとすると、巻回シートが凹部に沈み込み、且つシワも生じるため、巻回シート上に表示ができなくなり、表示面積が狭くなってしまうという問題があった。
【０００５】
そこで、本発明は、巻回シートが凹部に沈みこまず、巻回シートにシワが生じにくい、外観が整った包装体を提供すると共に、表示面積を広く設けることのできる包装体を提供することを課題とする。
【課題を解決するための手段】
【０００６】
本発明に係る包装体は、上記課題を解決するためになされたものであり、一方面側に折り曲げられた折り曲げ片を側端部に有する台紙と、天面から側面にまで亘って形成された凹部を有する容器と、前記台紙及び容器を巻回する巻回シートと、を備え、前記容器は、底面が前記台紙の一方面に対向するよう前記台紙上に配置され、前記折り曲げ片が、前記凹部の少なくとも一部を容器の側方から塞ぐように配置され、且つ前記巻回シートが、前記折り曲げ片の少なくとも一部を覆うように巻回されている。
【０００７】
上記包装体は、折り曲げ片が凹部の少なくとも一部を塞ぐように配置されている。これにより、容器の凹部が折り曲げ片により塞がれ、折り曲げ片上に巻回される巻回シートが容器の凹部に沈み込むことがないため、巻回シートにシワが発生するのを抑制することができ、整った外観の包装体とすることができる。
【発明の効果】
【０００８】
本発明によれば、巻回シートが容器の凹部に沈み込むこと、及び巻回シートのシワを防ぐことで包装体の外観を整え、表示面積を広く設けることができる。
【図面の簡単な説明】
【０００９】
【図１】本実施形態に係る包装体の斜視図である。
【図２】本実施形態に係る包装体における台紙の正面図である。
【図３】本実施形態に係る包装体における容器本体及び蓋体の右側面図である。
【図４】本実施形態に係る包装体における蓋体の背面図である。
【図５】本実施形態に係る包装体における容器本体の底面図である。
【図６】本実施形態に係る包装体における容器本体の正面図である。
【図７】上記実施形態の変形例に係る包装体の斜視図である。
【発明を実施するための形態】
【００１０】
以下、本発明に係る包装体の実施形態について図面を参照しつつ説明する。
【００１１】
本実施形態に係る包装体１０は、図１に示すように、台紙１と、台紙１の一方面１３側に配置された容器２と、台紙１及び容器２に巻回された巻回シート３と、を備えている。
【００１２】
台紙１は、図１及び図２に示すように、上端部に形成された吊り掛け孔（吊り掛け手段）１１と、台紙１の両側端部に形成され、一方面１３側に折り曲げ可能な一対の折り曲げ片１２と、を備えている。
【００１３】
吊り掛け孔１１は、包装体１０を吊り下げる際にフック等が通されるものであり、図２に示すように、台紙１の上端部において横幅方向に延びる長孔部１１１、及びこの長孔部１１１の上端中央に形成された半円切り欠き部１１２により構成されている。吊り掛け孔１１にフック等が通された際、この半円切り欠き部１１２内にフック等が嵌まることにより、吊り下げられた包装体１０が横方向に移動するのを規制することができる。
【００１４】
折り曲げ片１２は、図２に示すように、台紙１の両側端部から外方に矩形状に延びており、台紙１の両側端部に形成された切り込み１５により台紙１の側縁よりも内側に位置する第１の折線１４に沿って、一方面１３側に折り曲げられている。この折り曲げ片１２は、後述する第１及び第２の切り欠き２２２１，２１４１内に収容され、且つ後述する容器２の凹部２１２４を側方から塞ぐような位置及び大きさに形成されている。
【００１５】
容器２は、図１及び図３に示すように、正面視略矩形状をなし、台紙１の一方面１３側に配置されており、台紙１の一方面１３側に対する面（底面）が開口する容器本体２１と、この容器本体２１の開口を開閉可能に閉じる蓋体２２と、を備えている。
【００１６】
容器本体２１は、図３及び図５に示すように、台紙１側に位置する基台部２１１と、基台部２１１上に肩部２１３を介して設けられる収納部２１２と、を有している。基台部２１１の側面から収納部２１２の側面までの距離Ｄ１は、特に限定されるものではないが、０．１〜２０ｍｍとされることが好ましい。基台部２１１は、内側面の角部において、後述する蓋体２２の被嵌合凹部２２１に嵌合する嵌合凸部２１１１が形成されている。これによって、蓋体２２は容易に外れないよう容器２１に固定される。
【００１７】
また、容器本体２１は、図６に示すように、基台部２１１の周縁から外方に向かって延びる第２のフランジ２１４が形成されており、この第２のフランジ２１４の両側端部には、折り曲げ片１２を収容する第２の切り欠き２１４１がそれぞれ形成されている。第２の切り欠き２１４１は、後述する蓋体２２の第１の切り欠き２２２１と形状、及び容器本体２１と蓋体２２とが嵌合したときの位置が一致している。第１及び第２の切り欠き２２２１，２１４１の長さＬ１は、折り曲げ片１２の幅Ｂ１と同じか長ければよく、とくに限定されないが、例えば、０〜５ｍｍ程度長ければよい（図２及び図６）。また、第１及び第２の切り欠き２２２１，２１４１の深さｄ１は、折り曲げ片１２が第１及び第２の切り欠き２２２１，２１４１から外れない程度であれば特に限定されないが、例えば、１ｍｍ以上とされることが好ましい（図６）。
【００１８】
収納部２１２は、図３及び図６に示すように、図３における左側に突出し、図６における横幅方向に延びる第１及び第２の凸部２１２１，２１２２と、第１の凸部２１２１と第２の凸部２１２２との間に設けられる中間部２１２３と、を有している。この第１及び第２の凸部２１２１，２１２２と中間部２１２３とによって、収納部２１２の横幅方向に亘って側面にまで延びる凹部２１２４が形成されている。容器本体２１の側面において、この凹部２１２４のほぼ全体が各折り曲げ片１２によって塞がれる。この折り曲げ片１２は、凹部２１２４の少なくとも一部を塞ぐことができればよいが、容器本体２１の天面２１５，２１６付近まで延びていることが好ましい。具体的には、凹部２１２４が、折り曲げ片１２によって塞がれた状態で、折り曲げ片１２の先端１２１と、容器本体２１の天面２１５，２１６との距離（容器２１の厚さ方向の距離）が５ｍｍ以下であれば好ましく（図１及び図２）、容器本体２１の天面２１５，２１６を越えていてもよい。ここで、折り曲げ片１２は、容器本体２１の天面２１５，２１６付近において、凹部２１２４を塞ぎ、且つ両端部１２２により第１及び第２の凸部２１２１，２１２２の側面を支持するため、その幅Ｂ１が容器本体２１の天面２１５，２１６付近における凹部２１２４の幅Ｂ２よりも大きく設定されている。（図２及び図３）。
【００１９】
蓋体２２は、周縁部２２５が容器本体２１側に突出するよう形成されており、この周縁部２２５が容器本体２１の開口に嵌合することで容器本体２１を内側から補強している。蓋体２２の周縁部２２５の角部には、容器本体２１の嵌合凸部２１１１が嵌合する被嵌合凹部２２１が形成されている。蓋体２２は、図４に示すように、周縁から外方に向かって延びる第１のフランジ２２２を有しており、この第１のフランジ２２２の両側端部には、折り曲げ片１２を収容する第１の切り欠き２２２１がそれぞれ形成されている。なお、蓋体２２は、一方の第１の切り欠き２２２１内において、開閉時に把持されるつまみ部２２４が形成されていてもよい。この場合、蓋体２２は、縦幅方向に延びる第２の折線２２３を軸にして、つまみ部２２４側の部分が容器本体２１に対して開閉可能に構成されることが好ましい。つまみ部２２４は、第１の切り欠き２２２１内に折り曲げ片１２が収容される際に妨げとならないよう、容器本体２１側に折り曲げ可能となっている。
【００２０】
巻回シート３は、図１に示すように、帯状に形成され、折り曲げ片１２を覆うように台紙１及び容器２に巻回されている。この巻回シート３は、特に限定されるものではないが、例えば、ポリエチレン、ポリスチレン、ポリ塩化ビニル、ポリエチレンテレフタレート、ポリプロピレン等の熱収縮能を有する材料で作製することができる。この場合、巻回シート３をあらかじめリング状に形成し、台紙１及び容器２に巻回し、加熱して収縮させる（シュリンク加工）。ここで、台紙１の一方面１３上に配置された容器２の熱による変形や、巻回フィルムの熱収縮による印刷などの変形を防止するため、巻回シート３は、台紙１の一方面１３の裏面において、加熱されることが好ましい。また、巻回シート３を台紙１及び容器２に巻きつけてその両端部を重ね合わせ、この重ね合わせた部分を接着するタイプのロールラベルであってもよい。この場合、巻回シート３の材料としては、熱収縮能を有していないものであってもよい。
【００２１】
以上のように、本実施形態に係る包装体１０は、凹部２１２４を台紙１の折り曲げ片１２が側方から塞ぐことにより、折り曲げ片１２に巻回された巻回シート３が凹部２１２４内に沈み込まず、巻回シート３に張りを与えることができる。このため、巻回シート３にシワが生じるのを防止することができ、天面２１５，巻回シート３上、及び天面２１６に亘る広い範囲に表示を施すことができる。
【００２２】
上記包装体１０は、容器本体２１の収納部２１２が肩部２１３を介して基台部２１１上に形成されていることにより、折り曲げ片１２が収納部２１２の側面に当接するのを避け、容器本体２１の天面２１５，２１６と側面２１７，２１８との境界、及び肩部２１３により折り曲げ片１２を支持することができる。当該境界及び肩部２１３は強度が強く、これらで折り曲げ片１２を支持することで、巻回シート３の締め付けにより台紙１の折り曲げ片１２が容器２の中央側に押圧されたとしても、収納部２１２が変形するのを防止することができる。
【００２３】
また、本実施形態に係る包装体１０において、壁面２１２５，２１２６は、折り曲げ片１２からの容器２側面に対する押圧力を支持することができる面である。包装体１０は、凹部２１２４が天面から両側面にまで亘って形成されるため、壁面２１２５，２１２６を広く設けることができ、当該押圧力を支持する効果を高めることができる。
【００２４】
さらに、上記包装体１０は、容器本体２１の開口に嵌合する蓋体２２が容器本体２１を内側から補強するため、容器本体２１が巻回シート３及び折り曲げ片１２に押圧されて変形するのを抑制することができる。とくに、蓋体２２が全体的に容器本体２１側に突出して形成される場合に比べて、本実施形態に係る蓋体２２のように、周縁部２２５が蓋体２２の周縁に沿って凸状に形成されている方が、蓋体２２の強度を高めることができるため好ましい。
【００２５】
上述した容器本体２１の押圧力に対する強度を高める構造は、巻回シート３の素材が熱収縮能を有する材料であって、熱収縮により押圧力が高まり、容器本体２１を変形させる力が大きくなる場合や、容器２が可撓性を有する素材からなるブリスター容器である場合において、特に有効である。
【００２６】
以上、本発明の実施形態について説明したが、本発明はこれらに限定されるものではなく、本発明の趣旨を逸脱しない限りにおいて種々の変更が可能である。例えば、上記実施形態において、両端部１２２は第１及び第２の凸部２１２１，２１２２の側面２１７，２１８の両方を支持していたが、巻回シート３が凹部２１２４に沈み込まなければ、第１及び第２の凸部２１２１，２１２２の側面２１７，２１８の片方だけを支持しているだけでもよく、折り曲げ片１２の幅Ｂ１は、容器本体２１の側面の天面２１５，２１６付近における凹部２１２４の幅Ｂ２よりも小さくてもよい。
【００２７】
また、上記実施形態において、容器２は第１及び第２の凸部２１２１，２１２２を有していることが、天面２１５，巻回シート３上、及び天面２１６に亘って表示を施すことができ、且つ、折り曲げ片１２からの容器２側面に対する押圧力を支持することができる面を２つ（壁面２１２５，２１２６）設けることができるため好ましいが、どちらか一方の凸部を有していなくてもよい。例えば、第２の凸部２１２２を設けず、凹部２１２４を、第１の凸部２１２１より、図３における下方全体に亘って形成させてもよい。この場合、両端部１２２は第１の凸部２１２１の側面２１７のみを支持することになる。
【００２８】
また、上記実施形態においては、台紙１の折り曲げ片１２の幅Ｂ１は全長に亘って同じであったが、例えば、台紙１の折り曲げ片１２は、先端１２１の幅よりも第１の折線１４の幅を小さくすることができる。
【００２９】
また、上記実施形態において、台紙１は、両側端部に折り曲げ片１２が形成されていたが、容器２の凹部２１２４が一方の側面にまで亘って形成されてる場合には、当該側面の方の、台紙１の側端部にのみ折り曲げ片１２を設ければよい。
【００３０】
また、上記実施形態において、台紙１の折り曲げ片１２は、台紙１の両側端部に形成された切り込み１５により台紙１の側縁より内側で折り曲げられるように構成されていたが、切り込み１５を形成せず、台紙１の側縁に沿って折り曲げられていてもよい。
【００３１】
また、上記実施形態において、台紙１は、上端部に吊り掛け孔１１が形成されていたが、吊り掛け孔１１を設けなくてもよい。
【００３２】
また、上記実施形態において、容器２は、容器本体２１の開口に嵌合する蓋体２２を有していたが、この蓋体２２を有していなくてもよい。また、容器２の底面を開口させる必要は特になく、容器２の全ての面が閉じていてもよいが、この場合、容器２内に収納された物品を取り出せるよう、少なくともの１つの面が開閉可能であることが好ましい。
【００３３】
また、上記実施形態において、容器２は、肩部２１３を介して収納部２１２が形成される基台部２１１を有していたが、この基台部２１１を有していなくてもよい。
【００３４】
また、上記実施形態において、容器２は、折り曲げ片１２を収容する第１及び第２の切り欠き２２２１，２１４１が形成されていたが、この第１及び第２の切り欠き２２２１，２１４１を特に設ける必要はない。
【００３５】
また、上記実施形態において、台紙１には１つの容器２が配置されていたが、図７に示す包装体１００のように、台紙１上に複数の容器を積層することもできる。この包装体１００は、第１及び第２の容器２ａ，２ｂが上下方向（縦幅方向）の位置をずらして積層されており、台紙１には、この第１及び第２の容器２ａ，２ｂの側面を支持する折り曲げ片１２０が設けられている。折り曲げ片１２０は、第１及び第２の容器２ａ，２ｂそれぞれの側面を支持する第１及び第２の支持部１２０１，１２０２を有しており、この第１及び第２の支持部１２０１，１２０２は上下方向（縦幅方向）に位置ずれしている。第２の支持部１２０２は、第２の容器２ｂの天面２１５，２１６付近において、第１及び第２の凸部２１２１，２１２２の側面を第２の支持部１２０２の両端部で支持している。これにより、第２の容器２ｂの天面付近において、凹部２１２４が折り曲げ片１２０で側方から塞がれるため、巻回シート３が第２の容器２ｂの凹部２１２４内に沈み込むことがない。なお、上記包装体１００において、台紙１には容器が３つ以上積層されていてもよく、この場合、折り曲げ片１２０は、一番上の容器の天面付近において凹部２１２４の少なくとも一部を塞ぐように構成されていればよい。
【符号の説明】
【００３６】
１０，１００         包装体
１                   台紙
１２，１２０         折り曲げ片
２                   容器
２１                 容器本体
２１１               基台部
２１２               収納部
２１３               肩部
２１２４             凹部
２２                 蓋体
２３                 天面
３                   巻回シート
【図１】
0005946267.tif 000002
【図２】
0005946267.tif 000003
【図３】
0005946267.tif 000004
【図４】
0005946267.tif 000005
【図５】
0005946267.tif 000006
【図６】
0005946267.tif 000007
【図７】
0005946267.tif 000008